(57)【特許請求の範囲】
【請求項１】
収納スペース(Ｓ)(Ｓ)…が幅方向に複数に分轄して形成された分轄収納型土嚢用バッグにおいて、
前記バッグ本体(１)が、表裏の地編組織(11)(11)間に連結糸(12)や地編糸を部分的に挿入してダブルラッセル編機で編成された編地から成る一方、
前記バッグ本体(１)の両側縁部および所定の中間部に、表裏の地編組織(11)(11)が帯状に連結一体化された側辺閉じ部(13)(13)および仕切り部(14)(14)…がそれぞれ深さ方向にわたって形成されると共に、バッグ本体(１)の下縁部にも、表裏の地編組織(11)(11)が連結糸(12)によって帯状に連結一体化された底辺閉じ部(15)が幅方向にわたって形成され、かつ、
前記バッグ本体(１)の上縁側には、前記側辺閉じ部(13)(13)、仕切り部(14)(14)…および底辺閉じ部(15)によって囲われた複数の収納スペース(Ｓ)(Ｓ)…の各開口部(16)(16)…が設けられており、
更に前記バッグ本体(１)の収納スペース(Ｓ)部位の地編組織(11)(11)については、バッグ本体(１)の強度を高めるための高密度編地(11a)と、バッグ本体(１)の形状可変性を高めるための低密度編地(11b)とが混在するように編成され、かつ、少なくとも前記低密度編地(11b)が、底辺閉じ部(15)の上側に沿って収納スペース(Ｓ)部位の幅方向の全体にわたって帯状に形成されていることを特徴とする分轄収納型土嚢用バッグ。
【発明の詳細な説明】
【技術分野】
【０００１】
本発明は、分轄収納型バッグの改良、詳しくは、多用途で使用できる上に、土嚢として使用する場合には、複数の土嚢を連結する手間を省くことができ、またプランターとして使用する場合には、苗木や花苗等を一定の間隔で、かつ、多様なレイアウトで並べることができ、しかも、製造コスト面でも優れた分轄収納型バッグに関するものである。
【背景技術】
【０００２】
周知のとおり、水害時の応急対策や土木工事全般において、水や土砂の移動を防ぐ防護壁や擁壁を構築する際には、土砂を詰めた布袋(土嚢袋)を一列に並べたり積み上げたりするのが一般的であるが、土嚢袋を単純に並べただけでは、溢水や斜面の土砂崩れによる圧力によって防護壁や擁壁がバラバラに崩れてしまう問題がある。
【０００３】
そこで、従来においては、複数の土嚢袋を紐部材によって連結する技術も提案されているが(例えば、特許文献１,２参照)、これら従来の連結方法では、隣接させた土嚢袋同士を一つ一つ紐部材で連結していく必要があったため、土嚢袋を大量に使用する防護壁や擁壁において、壁全体を一体化するのにかなりの手間がかかった。
【０００４】
また、従来においては、一つの袋体に複数の収納スペースを有する水嚢(特許文献３参照)も公知となっているが、この水嚢に関しては、袋体を構成する表裏のシート材を所定大きさに切り出した後、シート材同士を部分的に熱融着(または接着)して仕切り部を形成する必要があったため、製造を連続的に行うことが難しかった。
【０００５】
ところで、上記土嚢袋に関しては、防護壁等の用途以外にも植物栽培用のプランターとしても広く利用されている。これは土嚢袋が、焼き物(セラミック)やプラスチック、木製の容器から成る一般的なプランターと比較して、不使用時の収納性に優れるだけでなく、破損等の心配もなく、また土中に埋めて使用することもできるためである。
【０００６】
しかし、収納スペースを一つしか持たない通常の土嚢袋では、複数の土嚢袋を一定の間隔で配置することが困難であっため、土嚢袋の間隔を変えずに多様なレイアウトで苗木等を配置することが難しかった。また、苗木等を運搬する際にも、通常の土嚢袋では個別に持ち運ぶ必要があったため、運搬作業が非効率になり易かった。
【０００７】
また、上記土嚢袋のような収納スペースを一つしか持たない布袋に関しては、単に充填物(土嚢の場合には土砂)を入れる容器としての用途はあるものの、それ以外の用途に乏しく、例えば、クッション材(綿や発泡ウレタン等)を複数箇所に分散させて充填した寝具用マットやスポーツマット等に布袋を利用することができなかった。
【先行技術文献】
【特許文献】
【０００８】
【特許文献１】特開昭５９−１０９６０５号
【特許文献２】特開２０１３−２４１８１６号
【特許文献３】特開２００８−２５０９７号
【発明の概要】
【発明が解決しようとする課題】
【０００９】
本発明は、上記の問題に鑑みて為されたものであり、その目的とするところは、土嚢として使用する場合には、複数の土嚢を連結する手間を省くことができ、またプランターとして使用する場合には、苗木や花苗等を一定の間隔で、かつ、多様なレイアウトで並べることができ、しかも、製造コストや多用途性の面でも優れた分轄収納型バッグを提供することにある。
【課題を解決するための手段】
【００１０】
本発明者が上記課題を解決するために採用した手段を添付図面を参照して説明すれば次のとおりである。
【００１１】
即ち、本発明は、収納スペースＳ・Ｓ…が幅方向に複数に分轄して形成された分轄収納型土嚢用バッグにおいて、
前記バッグ本体１を、表裏の地編組織11・11間に連結糸12や地編糸を部分的に挿入してダブルラッセル編機で編成された編地から構成する一方、
前記バッグ本体１の両側縁部および所定の中間部に、表裏の地編組織11・11が帯状に連結一体化された側辺閉じ部13・13および仕切り部14・14…をそれぞれ深さ方向にわたって形成すると共に、バッグ本体１の下縁部にも、表裏の地編組織11・11が連結糸12によって帯状に連結一体化された底辺閉じ部15を幅方向にわたって形成し、前記バッグ本体１の上縁側には、前記側辺閉じ部13・13、仕切り部14・14…および底辺閉じ部15によって囲われた複数の収納スペースＳ・Ｓ…の各開口部16・16…を設けた点に特徴がある。
【００１３】
また本発明では、上記バッグ本体１の地編組織11・11を、バッグ本体１の強度を高めるための高密度編地11aと、バッグ本体１の形状可変性を高めるための低密度編地11bとが混在するように編成することによって、高強度で、かつ、収容物を充填したときに安定感のある形状になるバッグ本体１を作製できる。またバッグ本体１全体を網地状の低密度網地11bにすると、一層形状可変性を高めることができる。
【００１４】
また更に、上記バッグ本体１の地編組織11・11において、底辺閉じ部15の上側に沿って低密度編地11bを幅方向に形成することによって、収容物を充填したときにバッグ本体１の下部が膨らみ易くなるため、充填時のバッグ本体１の安定感を高めることができる。
【００１５】
また本発明では、上記開口部16・16…の上側に、表裏の地編組織11・11が連結糸12によって連結一体化された上辺閉じ部17を、各収納スペースＳ・Ｓ…を環状に並べた状態でバッグ本体１の周囲を括って固定するための紐部材２を表裏の地編組織11・11の内側に挿入した状態で幅方向にわたって形成することもできる。
【００１６】
一方、本発明では、上記開口部16・16…の上側に、表裏の地編組織11・11が連結糸12によって連結一体化された上辺閉じ部17を、所定間隔で紐通し孔17a・17a…が形成されるように幅方向にわたって編成して、これら紐通し孔17a・17a…に、各収納スペースＳ・Ｓ…を環状に並べた状態でバッグ本体１の周囲を括って固定するための紐部材２を挿通することもできる。
【００１７】
また本発明においては、上記開口部16・16…の形状を、表裏の地編組織11・11が連結糸12によって連結一体化された上辺閉じ部17を幅方向にわたって部分的に形成することでトックリ状に窄まった形状として、前記上辺閉じ部17における開口部16の両側に紐通し孔を設けることもできる。
【００１８】
また本発明では、上記バッグ本体１の仕切り部14の幅方向中央に、深さ方向にわたって表裏の地編組織11・11が連結されていない帯状部位を形成することによって、この部位の表裏の地編組織11・11間にアンカー等の棒状体Ｐや紐状体を挿入するための挿通孔14aを設けることもできる。
【発明の効果】
【００１９】
本発明では、複数の収納スペースを有する分轄収納型バッグを、表裏の地編組織を連結糸で部分的に一体化して側辺閉じ部や仕切り部、底辺閉じ部を形成した編地から構成したことにより、各収納スペースに土砂等を詰めれば、分轄収納型バッグを通常の土嚢袋が複数連結された大きさの大型の土嚢袋として使用することができる。
【００２０】
しかも、本発明では、複数の収納スペースが仕切り部で連結されているため、防護壁や擁壁を構築する際に、個別に土嚢袋を運ぶ手間や土嚢袋同士を紐部材で連結する手間を大幅に軽減できる。また、複数の収納スペースを、仕切り部を介して一体化したことによって、溢水や斜面の土砂崩れの圧力によって防護壁や擁壁が崩れる心配もない。加えて、本発明では、収納スペースを分轄したことにより、袋の一部が破れても全ての内容物が流出するような心配もない。
【００２１】
また、本発明の分割収納型バッグにおいては、プランターとして使用した際に、各収納スペースに苗木や花苗等を植え込むだけで、苗木等を一定の間隔で配置することができ、また仕切り部を屈曲させることで隣り合う収納スペース同士の角度も調整できるため、苗木等の間隔を保ちながら多様なレイアウトで苗木等を植栽することができる。
【００２２】
また更に、本発明の分轄収納型バッグにおいては、ダブルラッセル編機等の製造装置を利用することで、バッグ本体を後加工なしで連続的に製造することができるため、製造効率を向上させることも可能となる。また、本発明の分轄収納型バッグは、各収納スペースにクッション材を充填することで、寝具用マット等にも使用することができる。
【００２３】
また、本発明の分轄収納型バッグに砂や砂利を入れておけば、土砂流出防止用フィルタや、砂や土の飛散防止用抑えマットとして利用できるだけでなく、排水材(特に盛土用の排水マット)としても好適に利用できる。更に、収納スペースに空気また水入りのチューブ等を収納してトンネル、テント、ハウスにも利用できる。
【００２４】
したがって、本発明により、土嚢袋やプランターとしての使い勝手および機能性を大きく改善できるだけでなく、用途の幅を土嚢袋やプランター以外にも拡げることができ、しかも、製造コストの低廉化も図れる分轄収納型バッグを提供できることから、実用的利用価値は非常に高い。
【図面の簡単な説明】
【００２５】
【図１】本発明の実施例１における分轄収納型バッグを表わす全体斜視図である。
【図２】本発明の実施例１における分轄収納型バッグの使用状態を表わす状態説明図である。
【図３】本発明の実施例２における分轄収納型バッグを表わす全体斜視図である。
【図４】本発明の実施例２における分轄収納型バッグの使用状態を表わす状態説明図である。
【図５】本発明の実施例３における分轄収納型バッグを表わす全体斜視図である。
【図６】本発明の実施例４における分轄収納型バッグを表わす全体斜視図、及び使用状態を表わす状態説明図である。
【図７】本発明の実施例５における分轄収納型バッグを表わす全体斜視図である。
【図８】本発明の実施例６における分轄収納型バッグを表わす全体斜視図である。
【図９】本発明の変形例における分轄収納型バッグを表わす全体斜視図である。
【図１０】本発明の変形例における分轄収納型バッグを表わす全体斜視図である。
【図１１】本発明の変形例における分轄収納型バッグを表わす全体斜視図である。
【図１２】本発明の変形例における分轄収納型バッグを表わす全体斜視図である。
【発明を実施するための形態】
【００２６】
『実施例１』
本発明の実施例１を図１および図２に基づいて以下に説明する。なお図中、符号Ｂで指示するものは、複数の収納スペースを有する分轄収納型バッグであり、符号１で指示するものは、分轄収納型バッグのバッグ本体である。
【００２７】
［分轄収納型バッグの構成］
この実施例１では、収納スペースＳ・Ｓ…が幅方向に複数に分轄して形成された分轄収納型バッグＢのバッグ本体１を、表裏の地編組織11・11間に連結糸12を部分的に挿入して編成した編地から構成している(図１参照)。なお本実施例では、地編組織11及び連結糸12の糸材にポリエステル糸を使用し、地編組織11・11を平編地で形成している。
【００２８】
また、上記バッグ本体１の両側縁部および所定の中間部には、表裏の地編組織11・11が連結糸12によって帯状に連結一体化された側辺閉じ部13・13および仕切り部14・14をそれぞれ深さ方向にわたって形成している。なお仕切部14・14の位置や数、太さについては、収納スペースＳ・Ｓ…の幅を考慮して任意に変更できる。
【００２９】
また更に、上記バッグ本体１の下縁部には、表裏の地編組織11・11が連結糸12によって帯状に連結一体化された底辺閉じ部15を幅方向にわたって形成している。これにより、バッグ本体１の表裏の地編組織11・11の内側に、上記側辺閉じ部13・13、仕切り部14・14…および底辺閉じ部15によって囲われた複数の収納スペースＳ・Ｓ…を形成できる。
【００３０】
そして、上記バッグ本体１の上縁側には、複数に分轄された収納スペースＳ・Ｓ…の開口部16・16…をそれぞれ設けている。なお本実施例では、上縁側の表裏の地編組織11・11を連結せずにバッグ本体１を編成することによって、開口部16・16…を形成している。そのため、収納スペースＳの開口部16を後加工なしで形成できる。
【００３１】
また、上記バッグ本体１の編地は、製造を効率的に行うためにダブルラッセル編機を用いて編成している。また更に、上記編地から構成したバッグ本体１は、複数の袋体を連結する手間が省けるだけでなく、表裏のシート同士を一体化する縫着や熱融着等の加工も不要となるため、低コストで製造できる。
【００３２】
［分轄収納型バッグの使用方法(用途:プランター)］
次に、上記分轄収納型バッグＢのプランターとしての使用方法を以下に説明する。まずバッグ本体１の収納スペースＳ・Ｓ…の開口部16・16…を大きく開いた状態で、水捌け改善用の小石や砂利を投入して底部に詰める。その後、小石等の上に土を少し被せて、その土の上に苗木Ｔや花苗等を載置する。
【００３３】
そして、上記収納スペースＳ内に入れた苗木Ｔ等の根部に充填物Ｆとなる土を被せて、図２(a)に示すように、収納スペースＳの上部まで土を充填する。そして、バッグ本体１の各収納スペースＳ・Ｓ…に小石や土、苗木Ｔを収容した状態で、バッグ本体１をコンクリート上や防草シート上に設置したり、バッグ本体１ごと土中に埋めて設置する。
【００３４】
これにより、苗木Ｔ等を所定間隔で並べた状態で簡単に植え込み作業が行えるだけでなく、複数の苗木等を一緒に持ち運びできるため、植栽作業も容易化できる。また、植え込み時にバッグ本体１の仕切り部14・14…を屈曲させれば、図２(b)及び(c)に示すように、苗木Ｔ等のレイアウトを蛇行型やコの字型、円弧型等に変更できる。
【００３５】
また、上記のように植生された野菜や草花は、バック本体１のまま植栽することによって植え替え時の手間も省くことができる。また、バッグ本体１に有機野菜栽培用土や機能性野菜栽培用土などを入れて、無農薬で栽培すれば、人体及び環境に優しいエコ野菜を育てられる。また保水剤やシート等との組み合わせで吸水環境を改良することもできる。加えて、バッグ本体１の材質に生分解性の素材を使用すれば、バッグ本体１が植物の根の成長を妨げる問題も生じない。
【００３６】
『実施例２』
次に、本発明の実施例２を図３及び図４に基づいて以下に説明する。なお図中、符号２で指示するものは、紐部材である。この実施例２では、分轄収納型バッグＢのバッグ本体１の上縁部に、表裏の地編組織11・11が連結糸12によって連結一体化された上辺閉じ部17を、内側に紐部材２を挿入した状態で幅方向にわたって形成すると共に、一方の地編組織11の上辺閉じ部17の下側を幅方向に切り開いて開口部16・16を形成している(図３参照)。
【００３７】
［分轄収納型バッグの使用方法(用途:土嚢)］
そして、上記分轄収納型バッグＢを土嚢として使用する際には、まず図４(a)に示すように各収納スペースＳ・Ｓ…に土砂等の充填物Ｆを入れた後、図４(b)に示すように、開口部16・16…を覆うように上辺閉じ部17で蓋をする。その後、図４(c)に示すように、各収納スペースＳ・Ｓ…を環状に並べた状態で、バッグ本体１の周囲を紐部材２で括って固定する。
【００３８】
これにより、充填物Ｆが外に出ないように各収納スペースＳ・Ｓ…の開口部16・16…を塞ぐことができるだけでなく、バッグ本体１の形態を、収納スペースＳ・Ｓ…が環状に並んだ安定した形態にすることができるため、土嚢を立てた状態で設置した際に溢水等によって土嚢が押し倒されたり、バラバラに流されたりする心配がなくなる。
【００３９】
また、上記バッグ本体１に取り付けた紐部材２を利用して、複数のバッグ本体１・１…を連結することもでき(図示せず)、その場合には、収納スペースＳ・Ｓ…に充填物Ｆを入れた複数の分轄収納型バッグＢ・Ｂ…を一体化することができるため、溢水等で衝撃を受けた場合でも各バッグ本体１・１…がバラバラになることはない。
【００４０】
『実施例３』
次に、本発明の実施例３を図５に基づいて以下に説明する。この実施例３では、分轄収納型バッグＢにおける、バッグ本体１の上縁部の側辺閉じ部13と仕切り部14または仕切り部14・14同士の間に、上辺閉じ部17を部分的に形成すると共に、一方の地編組織11の上辺閉じ部17の下側を幅方向に切り開いて開口部16・16を設けることにより、上辺閉じ部17の両側に帯状の把手部18を形成している。
【００４１】
これにより、収納スペースＳ・Ｓ…に充填物Ｆを入れた状態のバッグ本体１を、上記把手部18を掴んで簡単に持ち運びできるようになる。また、これらの把手部18・18…を固定物のフック等に引っ掛けることで、充填物Ｆを入れたバッグ本体１を吊り下げた状態で固定することもできる(図示せず)。
【００４２】
『実施例４』
次に、本発明の実施例４を図６に基づいて以下に説明する。この実施例４では、図６(a)に示すように、分轄収納型バッグＢにおけるバッグ本体１の各仕切り部14・14…の幅方向中央に、深さ方向にわたって表裏の地編組織11・11が連結されていない帯状部位を形成している。これにより、この部位の表裏の地編組織11・11間に棒状体や紐状体を挿入するための挿通孔14a・14a…を形成することができる。
【００４３】
そして、上記のようにバッグ本体１を構成したことにより、分轄収納型バッグＢを使用する際、図６(b)に示すように、充填物Ｆを入れたバッグ本体１を立てた状態で、杭(アンカー)となる棒状体Ｐ・Ｐ…を上記仕切り部14・14…の挿通孔14a・14a…を通して土中に打ち込むことによって、バッグ本体１を倒れないように固定することができる。
【００４４】
『実施例５』
次に、本発明の実施例５を図７に基づいて以下に説明する。この実施例５では、図７(a)に示すように、分轄収納型バッグＢのバッグ本体１の地編組織11・11を、バッグ本体１の強度を高めるための高密度編地11aとバッグ本体１の形状可変性を高めるための低密度編地11bとが混在するように編成している。なお本実施例では、高密度編地11aを平編地で形成すると共に、低密度編地11bをネット地から形成している。
【００４５】
そして、上記のようにバッグ本体１を構成したことにより、分轄収納型バッグＢを使用する際、収納スペースＳに充填物Ｆを入れたときに、バッグ本体１の形状を安定感のある膨らんだ形状とすることができるため、立てた状態で設置したバッグ本体１の転倒等を防止することができる(図示せず)。
【００４６】
なお本実施例では、上記バッグ本体１の地編組織11・11において、底辺閉じ部15の上側に沿って低密度編地11bを幅方向に形成しており、これによって、充填物Ｆを収納スペースＳに入れたときにバッグ本体１の下部が膨らみ易くなるため、充填時のバッグ本体１の安定性を効果的に高めることができる。
【００４７】
『実施例６』
次に、本発明の実施例６を図８に基づいて以下に説明する。この実施例６では、分轄収納型バッグＢを、図８(a)に示すように、ボックス状の収納スペースＳ・Ｓ…が幅方向に複数形成されたバッグ本体２から構成している。またバッグ本体２は、図８(b)に示すように、表裏の地編組織21・21間に連結糸22や地編糸を部分的に挿入して編成された編地から構成している。
【００４８】
上記バッグ本体２の構成を具体的に説明すると、まず表裏の地編組織21・21の長手側端縁部において、地編組織21・21間に連結糸22を部分的に挿入して一対の底縁閉じ部23・23を両端縁部に所定間隔で形成すると共に、隣接する一対の底縁閉じ部23・23同士の間に、地編組織21・21同士を連結する線状の側壁閉じ部24・24をＸ状に形成している。
【００４９】
そして、上記側壁閉じ部24・24の頂点間において、一方の地編組織21を切り開いて開口部25を設けている。これにより、山折り部26・26及び谷折り部27・27に沿って開口部25を広げ、ボックス状の収納スペースＳ・Ｓ…を作出したとき、展開された側壁閉じ部24・24の周辺にマチ部28・28を形成できる。
【００５０】
本発明は、概ね上記のように構成されるが、図示の実施形態に限定されるものでは決してなく、「特許請求の範囲」の記載内において種々の変更が可能であって、例えば、バッグ本体１の表裏の地編組織11・11や連結糸12の糸材に関しては、ポリエステル以外の素材から成るモノフィラメント糸やマルチフィラメント糸、弾性糸を使用することができる。
【００５１】
また、バッグ本体１の地編組織11・11には、用途に応じて抗菌性や耐熱性、生分解性等の機能を持った糸材を全体的または部分的に使用することができる。また地編組織11・11の種類についても、平編みやゴム編み、パール編み等から選択することができ、部分的に編み方を変えることもできる。
【００５２】
そしてまた、バッグ本体１の編み方向に関しても、上記実施例１〜５ではバッグ本体１をダブルラッセル編機で幅方向に編んで形成しているが、バッグ本体１を深さ方向に編んで形成することもできる。また、バッグ本体１については、幅方向だけでなく深さ方向にも収納スペースＳ・Ｓ…を複数並べて形成することもできる(図示せず)。
【００５３】
また更に、バッグ本体１に対する紐部材２の取付け方法としては、図９(a)に示すように、上辺閉じ部17を所定間隔で紐通し孔17aが形成されるように編成し、これらの紐通し孔17aに紐部材２を挿通して、袋閉じや吊下げ、バッグ本体１・１同士の連結に紐部材２を利用することができる。
【００５４】
また、バッグ本体１の把手部に関しても、図９(b)に示すように、バッグ本体１の仕切り部14に帯状または紐状の把手部材３を固定して形成することもできる。また、バッグ本体１の仕切り部14に、把手部材３と一緒にまたは単独で帯状または紐状の結束部材を固定することもできる。またバッグ本体１に形成する収納スペースＳ・Ｓ…の大きさや形状、数に関しても、用途に応じて自由に設計変更することができる。
【００５５】
また、バッグ本体１の開口形状については、図１０に示すように、上辺閉じ部17・17…を部分的に形成して、開口部16をトックリ状に窄めた形状とすることもでき、その場合には、開口部16の両側に紐通し孔を設けて、簡単に開口部16を塞げるようにするのが好ましい。
【００５６】
他方また、バッグ本体１の形態に関しては、図１１(a)に示すように、収納スペースＳ・Ｓ…を細長い筒状として、図１１(b)に示すように、折り畳んだ状態で排水材として使用したり、また図１１(c)に示すように、環状に丸めた状態で擁壁として使用することもできる。
【００５７】
また更に、バッグ本体１を製造する際、図１２(a)に示すように、地編組織11・11の長手側の両端縁部に底辺閉じ部15・15を設けて、その中間に上辺閉じ部17を設けると共に、その上辺閉じ部17の両側を切り開いて開口部16・16を設け、更に上辺閉じ部17を折曲げ部17bに沿って折り曲げれば、図１２(b)に示すような、収納スペースＳ・Ｓが二つずつ並んだバッグ本体１を構成することもできる。
【００５８】
また、本発明に係る分轄収納型バッグの用途に関しては、植物栽培用のプランターや各種土嚢袋(緑化用、土木用、止水用、土砂流出防止用、落石防止用、その他災害対策用)、フィルタ、枕、ベットマット等の寝具用品、スポーツ用クッションやマット、介護用マット、空気入りチューブを収納したトンネル、テント、ハウス等に幅広く利用することもでき、上記何れのものも本発明の技術的範囲に属する。
【産業上の利用可能性】
【００５９】
近年、表裏の地編組織を連結糸で一体化した立体編地が様々な用途で利用されている。そのような中で、本発明の分轄収納型バッグは、土嚢袋等に利用されていた収納スペースが一つしかない従来の布袋を、立体編み技術を利用して複数の収納スペースに分轄した画期的な技術であるため、その産業上の利用価値は非常に高い。
【符号の説明】
【００６０】
１  バッグ本体
11  地編組織
11a  高密度編地
11b  低密度編地
12  連結糸
13  側辺閉じ部
14  仕切り部
14a  挿通孔
15  底辺閉じ部
16  開口部
17  上辺閉じ部
17a  紐通し孔
17b  折曲げ部
18  把手部材
２  バッグ本体
21  地編組織
22  連結糸
23  底縁閉じ部
24  側壁閉じ部
25  開口部
26  山折り部
27  谷折り部
28  マチ部
Ｂ  分轄収納型バッグ
Ｆ  充填物
Ｔ  苗木
Ｐ  棒状体
【図１】
0006504553.tif 000002
【図２】
0006504553.tif 000003
【図３】
0006504553.tif 000004
【図４】
0006504553.tif 000005
【図５】
0006504553.tif 000006
【図６】
0006504553.tif 000007
【図７】
0006504553.tif 000008
【図８】
0006504553.tif 000009
【図９】
0006504553.tif 000010
【図１０】
0006504553.tif 000011
【図１１】
0006504553.tif 000012
【図１２】
0006504553.tif 000013